(57)【要約】【課題】捕捉される塵埃等の粒子の大きさに応じてフィルタリング領域が互いに異なる複数のフィルタを備え、長時間使用してもフィルタが詰りにくい真空掃除機用集塵容器を提供する。【解決手段】本発明による真空掃除機用集塵容器は、掃除機本体の吸込室に着脱自在に設けられ、吸込室に外部と連通するように形成されたエア吸込口からエアと共に吸い込まれた塵埃等を集塵する真空掃除機用集塵容器において、エア吸込口と連通する連結口及び吸い込まれたエアを排出するための排出部を有する集塵ケーシングと、少なくとも３つのフィルタを備え、排出部に着脱自在に装着されるフィルタアセンブリとを含む。【選択図】      図３
2004249067.tif 000002
【特許請求の範囲】
【請求項１】
掃除機本体の吸込室に着脱自在に設けられ、前記吸込室に外部と連通するように形成されたエア吸込口からエアと共に吸い込まれた塵埃等を集塵する真空掃除機用集塵容器において、
前記エア吸込口と連通する連結口及び吸い込まれたエアを排出するための排出部を有する集塵ケーシングと；
少なくとも３つのフィルタを備え、前記排出部に着脱自在に装着されるフィルタアセンブリと；を含むことを特徴とする真空掃除機用集塵容器。
【請求項２】
前記フィルタアセンブリが、多孔性の第１のフィルタと、この第１のフィルタより目の粗さが細かい第２のフィルタ、及びこの第２のフィルタより目の粗さが細かい第３のフィルタを有し、前記フィルタが、第１、第２、第３のフィルタの順に配置され、前記連結口から吸い込まれるエアが、前記第１のフィルタ、第２のフィルタ、第３のフィルタを順に通るようになっていることを特徴とする請求項１記載の真空掃除機用集塵容器。
【請求項３】
前記第１のフィルタが、ネット部材からなることを特徴とする請求項２記載の真空掃除機用集塵容器。
【請求項４】
前記第２のフィルタが、スポンジからなることを特徴とする請求項２記載の掃除機用集塵容器。
【請求項５】
前記第３のフィルタが、不織布からなることを特徴とする請求項２記載の真空掃除機用集塵容器。
【請求項６】
前記第３のフィルタが、
前記集塵ケーシングの排出部の周りを気密にシールするように設けられる外枠体と；
前記集塵ケーシング内のエアが外部に排出される風路をなすと共に、前記第２のフィルタを通ったエア中の微細な埃を捕捉するために前記外枠体に設けられる不織布と；を含むことを特徴とする請求項２記載の真空掃除機用集塵容器。
【請求項７】
前記外枠体が、外部に突出する係止爪を有し、この係止爪が、前記集塵ケーシングの上部に突出するように形成される係止突起に係止することを特徴とする請求項６記載の真空掃除機用集塵容器。
【請求項８】
前記外枠体が、外部に突出する結合リブを有し、この結合リブが、前記集塵ケーシングの下部に形成されるスリットに挿入されることを特徴とする請求項６記載の真空掃除機用集塵容器。
【請求項９】
前記集塵ケーシングの外部には、前記連結口から延びる延長部が設けられ、この延長部には、前記エア吸込口と前記連結口との間をシールするためのシール手段が設けられることを特徴とする請求項１記載の真空掃除機用集塵容器。
【請求項１０】
前記シール手段が、
前記エア吸込口の周りを気密にシールすべく一端部が前記延長部の外側に突出する第１のシール部材と；
前記第１のシール部材を前記エア吸込口側に選択的に押し付けるための加圧手段と；を含むことを特徴とする請求項９記載の真空掃除機用集塵容器。
【請求項１１】
前記加圧手段が、
前記延長部の外周面に斜線状に設けられるガイドレールと；
前記ガイドレールに挿入されるガイド突起がその内週面に形成され、このガイド突起が前記ガイドレールに挿入された状態で前記延長部の外周面に旋回可能に設けられる加圧リングと；を含み、
前記加圧リングが前記ガイドレールに沿って移動しながら前記第２のシール部材をエア吸込口側に押し付けることを特徴とする請求項１０記載の真空掃除機用集塵容器。
【請求項１２】
前記第１のシール部材が、
前記延長部の内週面と当接するように挿入されるボディと；
前記延長部の外側端から前記エア吸込口側に向けて突出するように前記ボディの一端部に設けられる密着部と；
前記集塵ケーシング内の塵埃等が逆流することを防止するために前記ボディの他端部に設けられる逆流防止部と；を含むことを特徴とする請求項１０記載の真空掃除機用集塵容器。
【請求項１３】
前記外枠体の内周には、集塵室をなすべく前記集塵ケーシングの内側に形成される内縁部に密着する第２のシール部材が設けられ、この第２のシール部材が前記集塵ケーシングの内縁部に密着することにより前記集塵室が密閉されることを特徴とする請求項６記載の真空掃除機用集塵容器。
【請求項１４】
前記集塵ケーシングの外部には、前記掃除機本体の吸込室に設けられる固定リブに対応する固定レールが設けられ、この固定レールに前記固定リブが挿入されることにより前記集塵ケーシングが前記吸込室に装着されることを特徴とする請求項１記載の真空掃除機用集塵容器。
【請求項１５】
前記集塵ケーシングが透明な材質からなることを特徴とする請求項１記載の真空掃除機用集塵容器。
【発明の詳細な説明】
【０００１】
【発明の属する技術分野】
本発明は、真空掃除機に関し、より詳しくは、洗浄して再使用可能な真空掃除機用集塵容器に関する。
【０００２】
【従来の技術】
通常、真空掃除機は、真空発生装置により吸込口に発生する吸込負圧を用いて被掃除面に存在する塵埃等をエアと共に吸込み、吸い込まれたエア中に含まれている塵埃等を集塵手段で集塵する構成を有している。
【０００３】
ここで、集塵手段としては集塵袋が広く使用されている。この集塵袋は、塵埃等でいっぱいになると、掃除機から取り外して廃棄する。従って、かかる集塵袋の使用は、真空掃除機の維持費を増加させる原因となる。
【０００４】
一方、最近では、使い捨ての集塵袋に取って代わって半永久的に使用することができる集塵容器が開発された。かかる集塵容器は、塵埃等でいっぱいになると、掃除機本体から取り外して洗浄した後、再使用する。
【０００５】
図１及び図２は、かかる再使用可能な集塵容器の一例であって、本出願人により先に出願された集塵容器及びこれを採用する真空掃除機を示したものである（特許文献１参照）。
【０００６】
同図に示したように、集塵容器１００は、掃除機本体１０の吸込室１１の形状と類似する外郭形状を有する集塵ケーシング１１０と、ドア１２０及びフィルタ１３０とを含む。
【０００７】
集塵ケーシング１１０は、第１の開口１１１ａを有する前面１１１と、この前面１１１の上・下部から延びる上・下面１１２、１１３と、前面１１１の両側部から延びる両側面１１４、１１５と、上・下面１１２、１１３及び両側面１１４、１１５から延び第２の開口１１６ａを有する背面１１６とを含んでなる。両側面１１４、１１５には、吸込室１１の固定ガイド１１ａ、１１ｂ、１２ａ、１２ｂが収められるガイド溝１１４ａ、１１４ｂ、１１５ａ、１１５ｂがそれぞれ形成される。また、上面１１２には、ユーザが集塵ケーシング１１０を吸込室１１から容易に取り出すことができるように一対の把持溝１１２ａ、１１２ｂが形成される。
【０００８】
ドア１２０は、前面１１１の第１の開口１１１ａに回動開閉自在にヒンジ結合され、その中央部には、吸込室１０ａのエア吸込み口１０ｂと連通する連結口１２０ａが形成される。
【０００９】
フィルタ１３０は、不織布１３１からなり、固定手段１４０により背面１１６の第２の開口１１６ａに着脱自在に設けられる。固定手段１４０は、第２の開口１１６ａの内側に備えられるフィルタ装着部１４１と、固定リブ１４２及び固定リブ１４２に差し込まれる固定片１４３とを含む。フィルタ装着部１４１にフィルタ１３０を装着した後に固定片１４３を固定リブ１４２に差し込むと、この固定片１４３がフィルタ１３０の前面の縁部を支えることによりフィルタ１３０が固定される。フィルタ１３０は、エア吸込口１０ｂを通じて吸い込まれたエアの排出経路をなすと共に、エアの排出過程においてエア中に含まれている塵埃等を捕捉する役割を果たす。
【００１０】
集塵容器１００は、その両側面１１４、１１５に形成されたガイド溝１１４ａ、１１４ｂ、１１５ａ、１１５ｂに吸込室１１の固定ガイド１１ａ、１１ｂ、１２ａ、１２ｂが挿入されている状態で吸込室１０ａに装着される。従って、集塵容器１００は、その連結口１２０ａと吸込室１１のエア吸込口１０ｂとが一致する安定した装着状態を保持するようになる。掃除機の真空モーター（図示せず）を駆動すると、被掃除面の塵埃等がエアと共にエア吸込口１０ｂ及び連結口１２０ａを通じて集塵容器１００の内部に流入される。そして、塵埃等は、フィルタ１３０により捕捉され、集塵ケーシング１１０内に集塵されて、清浄化したエアがフィルタ１３０を通って外部に排出する。一方、集塵容器１００が塵埃等でいっぱいになると、ユーザは、集塵容器１００を吸込室１０ａから取り外して集塵ケーシング１１０内の塵埃等を取り除く。そして、フィルタ１３０を集塵ケーシング１１０から取り外して洗浄した後、再び装着して使用する。
【００１１】
しかしながら、前記のような集塵容器１００では、エアと共に吸い込まれた塵埃等が粒子の大きさに関係なく全て不織布１３１からなるフィルタ１３０に取り付くため、フィルタ１３０の目が詰まりやすくなる。従って、フィルタ１３０及び集塵容器１００を頻繁に掃除する必要があるという不具合がある。
【００１２】
【特許文献１】
特願２００２−２３５００４
【００１３】
【発明が解決しようとする課題】
本発明は、従来の掃除機用集塵容器に関する上記問題点に鑑みてなされたものであり、本発明の目的は、捕捉される塵埃等の粒子の大きさに応じてフィルタリング領域が互いに異なる複数のフィルタを備え、長時間使用してもフィルタの目が詰まりにくい真空掃除機用集塵容器を提供することである。
【００１４】
【課題を解決するための手段】
前記目的を達成するための本発明による真空掃除機用集塵容器は、掃除機本体の吸込室に着脱自在に設けられ、前記吸込室に外部と連通するように形成されたエア吸込口からエアと共に吸い込まれた塵埃等を集塵する真空掃除機用集塵容器において、前記エア吸込口と連通する連結口及び吸い込まれたエアを排出するための排出部を有する集塵ケーシングと、少なくとも３つのフィルタを備え、前記排出部に着脱自在に装着されるフィルタアセンブリとを含むことを特徴とする。
【００１５】
前記構成を有する本発明による真空掃除機用集塵容器において、前記フィルタアセンブリが、多孔性の第１のフィルタと、この第１のフィルタより目の粗さが細かい第２のフィルタ、及びこの第２のフィルタより目の粗さが細かい第３のフィルタを有し、前記フィルタが、第１、第２、第３のフィルタの順に配置され、前記連結口から吸い込まれるエアが、前記第１のフィルタ、第２のフィルタ、第３のフィルタを順に通るようになっていることが好ましい。
【００１６】
そして、前記第１のフィルタが、ネット部材からなることがよく、前記第２のフィルタが、スポンジからなることがよく、前記第３のフィルタが、不織布からなることがよい。
【００１７】
また、前記第３のフィルタが、前記集塵ケーシングの排出部の周りを気密にシールするように設けられる外枠体と前記集塵ケーシング内のエアが外部に排出される風路をなすと共に、前記第２のフィルタを通ったエア中の微細な埃を捕捉するために前記外枠体に設けられる不織布とを含むことが好ましい。
【００１８】
また、前記外枠体が、外部に突出する係止爪を有し、この係止爪が、前記集塵ケーシングの上部に突出するように形成される係止突起に係止することがよい。
【００１９】
なお、前記外枠体が、外部に突出する結合リブを有し、この結合リブが、前記集塵ケーシングの下部に形成されるスリットに挿入されることがよい。
【００２０】
また、前記集塵ケーシングの外部には、前記連結口から延びる延長部が設けられ、この延長部には、前記エア吸込口と前記連結口との間をシールするためのシール手段が設けられることが好ましく、前記シール手段が、前記エア吸込口の周りを気密にシールすべく一端部が前記延長部の外側に突出する第１のシール部材と前記第１のシール部材を前記エア吸込口側に選択的に押し付けるための加圧手段とを含むことが好ましい。
【００２１】
そして、前記加圧手段が、前記延長部の外周面に斜線状に設けられるガイドレールと、前記ガイドレールに挿入されるガイド突起がその内週面に形成され、このガイド突起が前記ガイドレールに挿入された状態で前記延長部の外周面に旋回可能に設けられる加圧リングとを含み、前記加圧リングが前記ガイドレールに沿って移動しながら前記第２のシール部材をエア吸込口側に押し付けることがよい。
【００２２】
また、前記第１のシール部材が、前記延長部の内週面と当接するように挿入されるボディと、前記延長部の外側端から前記エア吸込口側に向けて突出するように前記ボディの一端部に設けられる密着部と前記集塵ケーシング内の塵埃等が逆流することを防止するために前記ボディの他端部に設けられる逆流防止部とを含むことが好ましい。
【００２３】
また、前記第３のフィルタの外枠体の内周には、集塵室をなすべく前記集塵ケーシングの内側に形成される内縁部に密着する第２のシール部材が設けられ、この第２のシール部材が前記集塵ケーシングの内縁部に密着することにより前記集塵室が密閉されることがよい。
【００２４】
また、前記集塵ケーシングの外部には、前記掃除機本体の吸込室に設けられる固定リブに対応する固定レールが設けられ、この固定レールに前記固定リブが挿入されることにより前記集塵ケーシングが前記吸込室に装着されることが好ましい。
【００２５】
また、前記集塵ケーシングが透明な材質からなることがよい。
【００２６】
【発明の実施の形態】
以下に添付図面を参照しながら、本発明にかかる真空掃除機用集塵容器の好適な実施の形態について詳細に説明する。
【００２７】
図３は、本発明の実施の形態に係る真空掃除機用集塵容器を示す分解斜視図である。本発明による真空掃除機用集塵容器２００は、内部に塵埃等が集塵される集塵室２１０ａ（図４Ａ参照）が設けられる集塵ケーシング２１０と、エアと共に集塵室２１０ａに流入された塵埃等を捕捉するために集塵ケーシング２１０に着脱自在に設けられるフィルタアセンブリ２２０を含む。
【００２８】
集塵ケーシング２１０は、掃除機本体２０（図４Ａ参照）のエア吸込口２０ｂ（図４Ａ参照）と連通する連結口２１０ｂが形成されている前面２１１と、この前面２１１の上側から延びる上面２１２と、前面２１１の下側から延びる下面２１３（図４Ａ参照）と、前面２１１の両側から延びる両側面２１４、２１５とからなり、集塵ケーシング２１０の背部は、エアを排出するために開口している。そして、集塵ケーシング２１０の内部には、塵埃等が集塵される集塵室２１０ａの一部をなし、集塵ケーシング２１０の背部の排出部２１０ｃ側に向けて突出する内縁部２１６（図４Ａ参照）が備えられる。また、集塵ケーシング２１０は、透明な材質からなり、外部から集塵室２１０ａに塵埃等が集塵されている状態を確認することができる。
【００２９】
前面２１１には、連結口２１０ｂから外側に延びる延長部２１７が備えられ、この延長部２１７の外周面には、斜線状のガイドレール２１７ａが備えられる。そして、延長部２１７には、集塵ケーシング２１０の連結口２１０ｂと掃除機本体２０のエア吸込口２０ｂとの間に隙間が発生しないようにするための第１のシール部材２３０が備えられる。
【００３０】
第１のシール部材２３０は、加圧リング２４０によりエア吸込口２０ｂ側に押し付けられる。ここで、第１のシール部材２３０は、延長部２１７の内週面と当接するように挿入されるボディ２３１と、延長部２１７の外側端からエア吸込口２０ｂ側に突出するようにボディ２３１の一端部に備えられる密着部２３２と、集塵ケーシング２１０内の塵埃等が逆流することを防止するためにボディ２３１の他端部に備えられる逆流防止部２３３とを含む。そして、加圧リング２４０は、その内週面に延長部２１７の螺旋状ガイドレール２１７ａに挿入されるガイド突起２４１を備え、加圧リング２４０の外周面の一側には、ユーザの操作のためのレバー２４２が備えられる。また、第１のシール部材２３０の密着部２３２と加圧リング２４０との間に、ワッシャーリング２５０を設けてもよい。ユーザがレバー２４２を時計回りで回転させると、ガイド突起２４１が螺旋状ガイドレール２１７ａに沿って移動しながら加圧リング２４０が延長部２１７の外側に押し出される。この時、加圧リング２４０が、ワッシャーリング２５０及び第１のシール部材２３０の密着部２３２を掃除機本体２０のエア吸込口２０ｂ側に押し付け、密着部２３２がエア吸込口２０ｂが形成されている掃除機本体２０の壁面に密着して変形しつつ、エア吸込口２０ｂと連結口２１０ｂとの間をシールするようになる。
【００３１】
また、集塵ケーシング２１０の前面２１１には、掃除機本体２０の吸込室２０ａ内に備えられる固定リブ２１ａ、２１ｂに対応する固定レール２１１ａ、２１１ｂが連結口２１０ｂを中心にして左右一対が設けられる。この固定レール２１１ａ、２１１ｂに固定リブ２１ａ、２１ｂがスライドして挿入されることにより集塵ケーシング２１０が掃除機本体２０の吸込室２０ａに装着される。
【００３２】
フィルタアセンブリ２２０は、目の粗さが異なり、捕捉される塵埃等の大きさに応じてそのフィルタリング領域が互いに異なる第１乃至第３のフィルタ２２１、２２２、２２３が順に配設されてなる構成を有する。ここで、第１のフィルタ２２１は、粒子の大きさが比較的大きな塵埃等を捕捉するためのものであって、集塵ケーシング２１０の集塵室２１０ａ内における最も内側に配設される。また、第１のフィルタ２２１は、エアが通る目の粗さが大きいネット部材２２４と、このネット部材２２４を支え、外郭形状をなすボディ２２５とを含む。このボディ２２５の周りには、第１の壁部２２５ａが突設されている。
【００３３】
第３のフィルタ２２３は、粒子の大きさが小さくて第１及び第２のフィルタ２２１、２２２で捕捉されていない微細な埃を捕捉するためのものであって、フィルタアセンブリ２２０の最も外側に配設される。第３のフィルタ２２３は、目の粗さが細かい不織布２２６と、この不織布２２６を支え、外郭形状をなす外枠体２２７とを含む。ここで、不織布２２６は、フィルタリング面積を増加させるべく所定の間隔で折り返された形態で外枠体２２７に配設される。外枠体２２７の上部には、係止爪２２８が外枠体２２７の内側に向けて突設され、この係止爪２２８は、集塵ケーシング２１０の上面２１２の外側に備えられる係止突起２１２ａが挿入される係止溝２２８ａを有する。そして、外枠体２２７の下部には、集塵ケーシング２１０の下面２１３に形成されるスリット２１３ａ（図６参照）に挿入される結合リブ２２７ａ（図６参照）が突設される。また、外枠体２２７の内周には固定溝２２７ｂが備えられ、この固定溝２２７ｂの内周には、第１のフィルタ２２１のボディ２２５の第１の壁部２２５ａと結合する第２の壁部２２７ｃが備えられる。固定溝２２７ｂには、集塵ケーシング２１０の内縁部２１６に密着して集塵室２１０ａを密閉させる第２のシール部材２２９が設けられる。
【００３４】
第２のフィルタ２２２は、第１のフィルタ２２１で捕捉されていない塵埃等を捕捉するためのものであって、ネット部材２２４よりは目の粗さが細かく、不織布２２６より目の粗さが大きいスポンジ材質からなっている。この第２のフィルタ２２２は、第１のフィルタ２２１の第１の壁部２２５ａと第３のフィルタ２２３の第２の壁部２２７ｃとが結合して形成する内部空間部に介在する。
【００３５】
以下、前記構成を有する本発明による真空掃除機用集塵容器２００が掃除機本体２０に配設された状態及び作用を図４Ａ乃至図６を参照して説明する。
【００３６】
前記のような構成を有する本発明による真空掃除機用集塵容器２００は、集塵ケーシング２１０の固定レール２１１ａ、２１１ｂに掃除機本体２０の固定リブ２１ａ、２１ｂがスライドして挿入されることにより掃除機本体２０の吸込室２０ａに動き不能に取り付けられる。そして、加圧リング２４０のレバー２４２を回すと、加圧リング２４０は、延長部２１７のガイドレール２１７ａに沿って斜線方向に移動しつつ第１のシール部材２３０の密着部２３２を掃除機本体２０のエア吸込口２０ｂ側に押し付ける。従って、集塵容器２００の連結口２１０ｂとエア吸込口２０ｂとが気密に連結される。
【００３７】
このように集塵容器２００が吸込室２０ａに装着された状態でモーター２１が駆動すると、塵埃等を含むエアが、エア吸込口２０ｂ及び連結口２１０ｂを通って集塵ケーシング２１０内の集塵室２１０ａに吸い込まれる。そして、集塵室２１０ａ内に吸い込まれたエアが、フィルタアセンブリ２２０の第１のフィルタ２２１、第２のフィルタ２２２及び第３のフィルタ２２３を順に通ってから、掃除機本体２０の外部に排出される。この時、エア中に含まれている塵埃等が、粒子の大きいものから微細な埃のような粒子の小さいものの順に第１のフィルタ２２１、第２のフィルタ２２２及び第３のフィルタ２２３に捕捉され、集塵される。
【００３８】
一方、集塵室２１０ａ内に集塵された塵埃等の量が多くなると、各フィルタ２２１、２２２、２２３が塵埃等により詰り、掃除機の吸込負圧が低下するため、集塵容器２００を掃除しなければならない。このために、ユーザは、先ず、加圧リング２４０のレバー２４２を操作して掃除機本体２０のエア吸込口２０ｂと集塵容器２００の連結口２１０ｂとの連結を解除してから、集塵容器２００を吸込室２０ａから取り外す。そして、フィルタアセンブリ２２０の係止爪２２８を持ち上げ、その係止溝２２８ａから係止突起２１２ａを離脱させてから、フィルタアセンブリ２２０を集塵ケーシング２１０から取り外して集塵ケーシング２１０の排出部２１０ｃを解放させる。その後、集塵ケーシング２１０及びフィルタアセンブリ２２０の各フィルタ２２１、２２２、２２３に取り付いている塵埃等を除去する。そして、洗浄した各フィルタ２２１、２２２、２２３及び集塵ケーシング２１０を組み立てて吸込室２０ａに再び装着する。
【００３９】
以上、添付図面を参照しながら本発明の真空掃除機用集塵容器の好適な実施形態について説明したが、本発明はかかる例に限定されない。当業者であれば、特許請求の範囲に記載された技術的思想の範疇内において各種の変形例又は修正例に想到し得ることは明らかであり、それらについても当然に本発明の技術的思想に属するものと了解される。
【００４０】
【発明の効果】
以上で説明したような本発明によると、集塵室２１０ａ内に吸い込まれた塵埃等が、塵埃等の粒子の大きさに応じてフィルタリング領域が互いに異なる複数のフィルタ２２１、２２２、２２３により捕捉されるため、長時間使用しても前記フィルタが詰りにくく、その結果、集塵容器２００を頻繁に掃除することなく長時間使用することができる真空掃除機用集塵容器を具現することができるという効果を奏する。
【００４１】
また、本発明によると、吸い込まれたエアが複数のフィルタ２２１、２２２、２２３を通るため、フィルタリング効率が向上した集塵容器２００を具現することができる。
【図面の簡単な説明】
【図１】本出願人により先に出願された集塵容器及びこれを採用する真空掃除機を示す斜視図である。
【図２】図１に示す本出願人により先に出願された集塵容器の構成を示す分解斜視図である。
【図３】本発明の好適な実施形態による真空掃除機用集塵容器を示す分解斜視図である。
【図４Ａ】本発明の好適な実施形態による真空掃除機用集塵容器が真空掃除機の吸込室に配置されている状態を示す断面図である。
【図４Ｂ】本発明の好適な実施形態による真空掃除機用集塵容器が真空掃除機の吸込室に配設完了された状態を示す断面図である。
【図５】本発明の好適な実施形態による真空掃除機用集塵容器が真空掃除機の吸込室に配設完了された状態を示す平面図である。
【図６】本発明の好適な実施形態による真空掃除機用集塵容器の作用を説明するための断面図である。
【符号の説明】
２００    集塵容器
２１０    集塵ケーシング
２１０ａ  集塵室
２１０ｂ  連結口
２１１    前面
２１２    上面
２１３    下面
２１４、２１５  両側面
２１６    内縁部
２１７    延長部
２１７ａ  ガイドレール
２２０    フィルタアセンブリ
２２１、２２２、２２３  第１、２、３のフィルタ
２２８    係止爪
２３０    第１のシール部材
２４０    加圧リング
【図１】
2004249067.tif 000003
【図２】
2004249067.tif 000004
【図３】
2004249067.tif 000005
【図４Ａ】
2004249067.tif 000006
【図４Ｂ】
2004249067.tif 000007
【図５】
2004249067.tif 000008
【図６】
2004249067.tif 000009